(57)【要約】【課題】商品が商品シュートに落下する際の衝撃を緩和して炭酸ガスを混和させた飲料のフォーミングの発生を抑制することが可能な自動販売機を提供する。【解決手段】商品シュート５０を、商品収納ラックから搬出される商品の落下位置に位置するサブシュート５２とこのサブシュート５２に落下した商品を商品取出口に送出するメインシュート５１により構成し、サブシュート５２を、上昇した待機位置に復帰するようにコイルスプリングＳＰにより付勢力を受けた可動式として形成し、サブシュート５２の下方に、サブシュート５２が待機位置に復帰した状態でサブシュート５２により加圧されることがない一方、サブシュート５２が付勢力に抗して下降した際に加圧される態様で緩衝部材９０を配し、商品がサブシュート５２に落下した際の衝撃荷重を圧縮コイルばねＳＰと緩衝部材９０とにより吸収する。【選択図】図２
2018063686.tif 000002
【特許請求の範囲】
【請求項１】
本体キャビネットの商品収納庫内に商品を収納した商品収納ラックおよびこの商品収納ラックから搬出された商品を商品取出口に送出する商品シュートを備えた自動販売機において、前記商品シュートは、商品収納ラックから搬出される商品の落下位置に位置するサブシュートとこのサブシュートに落下した商品を商品取出口に送出するメインシュートからなり、サブシュートは、上昇した待機位置に復帰するように付勢力を受けた可動式として形成し、サブシュートの下方に、サブシュートが待機位置に復帰した状態でサブシュートにより加圧されることがなく、サブシュートが付勢力に抗して下降した際に加圧される態様で緩衝部材を配してなることを特徴とする自動販売機。
【請求項２】
請求項１に記載の自動販売機において、サブシュートを待機位置に復帰させる付勢力は、サブシュートに連繋して設けた弾性部材により付与されることを特徴とする自動販売機。
【請求項３】
請求項１または請求項２に記載の自動販売機において、緩衝部材はクッションであることを特徴とする自動販売機。
【請求項４】
請求項３に記載の自動販売機において、クッションは、制振部とクッション部の組合せからなることを特徴とする自動販売機。
【請求項５】
請求項２に記載の自動販売機において、弾性部材は、サブシュートを待機位置に復帰させる圧縮コイルばねであることを特徴とする自動販売機。
【請求項６】
請求項２に記載の自動販売機において、弾性部材は、サブシュートを待機位置に復帰させる捻りコイルばねであることを特徴とする自動販売機。
【請求項７】
請求項２に記載の自動販売機において、弾性部材は、サブシュートを待機位置に復帰させるオイルダンパであることを特徴とする自動販売機。
【請求項８】
請求項１または請求項２に記載の自動販売機において、メインシュートを載置する受台を設けたことを特徴とする自動販売機。
【請求項９】
請求項１または請求項２に記載の自動販売機において、メインシュートの上面に漸次下方に傾斜する傾斜面を有するガイド板を設けたことを特徴とする自動販売機。
【請求項１０】
請求項９に記載のガイド板は、メインシュートの左右両端に設けられ、一方はメインシュートの後端側、他方はメインシュートの前端側に設けたことを特徴とする自動販売機。
【発明の詳細な説明】
【技術分野】
【０００１】
この発明は、本体キャビネットの商品収納庫内に配設された商品収納ラックから搬出された商品を商品取出口に送出する商品シュートを備えた自動販売機に係り、特に炭酸ガスを混和させた飲料入りの商品が商品シュートに落下することにより商品に生じる衝撃を緩和して飲料のフォーミング（泡立ち）を抑制する自動販売機に関する。
【背景技術】
【０００２】
スラントラックとも称される商品収納ラックを備えた自動販売機は、商品収納ラックが複数の商品を横倒し姿勢で前後方向に一列に整列して収納する商品収納通路を備え、本体キャビネットの商品収納庫内に左右方向に複数列並設されている。前記商品収納ラックにおける商品収納通路の商品搬出口には商品搬出装置が設けられており、この商品搬出装置により商品収納通路に横倒し姿勢で収納された商品を一個ずつ搬出するように構成されている。この種の自動販売機として図１６に示すものが知られている。
【０００３】
図１６は従来の自動販売機の概略構成を示す側面図である。この自動販売機は、前面が開放した断熱筐体として形成された本体キャビネット１と、本体キャビネット１の前面に開閉可能に支持された外扉２とからなる。本体キャビネット１の商品収納庫の前面は開閉可能な断熱内扉３によって閉塞されている。本体キャビネット１の商品収納庫内には、左右方向に複数配列されるとともに上下方向に多段に配設された商品収納棚４２を備えた商品収納ラック４が収納設置されている。前記商品収納ラック４は左右に対向配置された矩形状の左右一対のラック側板４１，４１を備え、この左右一対のラック側板４１，４１に前記商品収納棚４２が架設されている。前記商品収納棚４２は商品投入口４４となる前方側が高く、商品搬出口４５となる後方側が低くなるように所定の勾配をもって傾斜する態様で配設されている。前記商品収納棚４２の上部空間が複数の商品Ｓを横倒し姿勢で前後方向に一列に整列して収納する商品収納通路４３として構成されている。また、前記商品収納棚４２における商品搬出口４５の近傍には商品搬出装置ＢＭが配設され、この商品搬出装置ＢＭは前記商品収納通路４３に収納された商品Ｓを一個ずつ切り出して搬出するものである。
【０００４】
前記各商品収納棚４２における商品搬出口４５と商品収納庫背面（本体キャビネット１の背壁）との間が商品の落下する商品落下通路４６として形成されている。そして、各商品収納棚４２の後端には、前記商品落下通路４６に突出する突出位置と、落下する商品Ｓにより押し開かれて商品落下通路４６から退避する退避位置との間を回動する姿勢制御板４７が設けられている。複数の姿勢制御板４７のうちの一つ（図の場合には最下段の姿勢制御板４７）を除く他の姿勢制御板４７は、不図示のコイルばねにより商品落下通路４６に向けて突出するように付勢されており、商品落下通路４６を落下する商品Ｓにより押し開かれて商品落下通路４６から退避する際、当該商品Ｓの姿勢を横倒し姿勢に矯正するとともに当該商品Ｓの落下エネルギーを吸収してその落下速度を低減させる機能を有している。最下段の姿勢制御板４７には、商品落下通路４６に向けて突出した状態から商品落下通路４６を落下する商品Ｓにより押し開かれて商品落下通路４６から退避する方向への回動を制動する緩衝器（オイルダンパー）４８が連結されている。また、商品落下通路４６を挟んで最下段の姿勢制御板４７と対向する位置に、当該姿勢制御板４７と協働して商品落下通路４６を落下する商品Ｓに生じる衝撃を緩衝するクッション４９を有している。
【０００５】
前記商品収納ラック４の下部には前下がりの姿勢に配されるとともにその板面に複数の通気孔が穿孔された商品シュート５が設けられている。前記商品シュート５は、商品落下通路４６の下端と断熱内扉３に設けたフラッパ付きの内扉搬出口３ａを介して外扉２の商品取出口２ａとを連係する。また、商品シュート５の下部には、商品収納庫内を冷却若しくは加熱して商品収納ラック４に収納した商品Ｓをコールド若しくはホット状態に保存するところの冷却／加熱ユニット６（点線で示す）が配設されている。この冷却／加熱ユニット６は風洞によって覆われている。また、本体キャビネット１の下部の機械室８には、冷却／加熱ユニット６の冷却ユニットと冷凍サイクルを形成する冷凍機コンデンシングユニット９（点線で示す）が配設されている。さらに、商品収納庫背面（本体キャビネット１の背壁）には当該本体キャビネット１の背壁に沿って上下方向に延在し、かつ、上端に開放した吸込み口を有するとともに下端が冷却／加熱ユニット６の風洞に連通された庫内空気循環用のダクト（不図示）が配備されている。そして、前記冷却／加熱ユニット６により加熱若しくは冷却された空気は商品シュート５の複数の通気孔を介して商品収納ラック４に収納された商品Ｓを加熱若しくは冷却しつつ庫内を上昇した後、庫内空気循環用のダクトの吸込み口を経由して当該ダクトから冷却／加熱ユニット６の風洞に戻る経路を通って循環するように構成されている。
【０００６】
そして、商品収納ラック４に収納した商品Ｓが販売適温に冷却若しくは加熱されると販売可能状態となり、本体キャビネット１の前面開口に開閉自在に取付けられた外扉２に設けた商品選択ボタンが押圧操作されると対応する商品収納棚４２の商品収納通路４３に設けられた商品搬出装置ＢＭが動作して当該商品収納通路４３に収納された商品Ｓが一個切り出される。商品搬出装置ＢＭにより切り出された商品Ｓは、商品落下通路４６を落下する過程で姿勢制御板４７により姿勢を矯正されると同時に落下速度が低減されるとともに最下段の姿勢制御板４７で更に落下速度が低減された後、クッション４９に当って緩衝されたうえで商品シュート５上に落下し、当該商品シュート５上を転動若しくは滑動して断熱内扉３に設けたフラッパ付きの商品搬出口３１を介して商品取出口２ａに送出されるように構成されている（例えば、特許文献１）。
【０００７】
かかる特許文献１に開示された発明においては、最下段の姿勢制御板４７に、商品落下通路４６から退避する方向への回動を制動する緩衝器（オイルダンパー）４８を連結し、さらに、商品落下通路４６を挟んで最下段の姿勢制御板４７と対向する位置に、当該姿勢制御板４７と協働して商品落下通路４６を落下する商品Ｓに生じる衝撃を緩衝するクッション４９を備えることにより、炭酸ガスを混和させた飲料入りの商品Ｓのフォーミングを抑制して開栓した際の泡の噴出を防止することが可能となる。
【０００８】
また、商品Ｓが商品シュート５上に落下する際に商品Ｓに生じる衝撃を緩衝するための先行技術として、商品シュート５を固定シュートおよびこの固定シュートの上に配設される可動シュートに分割し、固定シュートと可動シュートの間に弾性部材（コイルばね）を介在させたものが知られており（例えば、特許文献２参照）、さらに、商品が商品シュート上に落下する際に商品に生じる衝撃を緩衝するための先行技術として、可動の商品シュートの下部に補強板を配備し、商品シュートと補強板との間に平板状のクッションを介在させたものも知られている（例えば、特許文献３）。
【先行技術文献】
【特許文献】
【０００９】
【特許文献１】特開平９−２７４６８４号公報
【特許文献２】特許第３５５５８２２号公報
【特許文献３】特開平６−２３１３４６号公報
【発明の概要】
【発明が解決しようとする課題】
【００１０】
ところで、特許文献１に記載された発明においては、最下段の姿勢制御板４７に緩衝器（オイルダンパー）４８を連結し、さらに、最下段の姿勢制御板４７と対向する位置にクッション４９を備えることにより、炭酸ガスを混和させた飲料入りの商品のフォーミングを抑制することが可能となる。しかしながら、本体キャビネット１の商品収納庫内に左右方向に複数配列された商品収納ラック４の最下段の姿勢制御板４７のそれぞれに緩衝器（オイルダンパー）４８を有するため、コストが嵩むのは避けられない。また、商品Ｓは、姿勢制御板４７およびクッション４９を経由して最終的に商品シュート５に着地するように構成されており、最終的に商品シュート５に着地する際に衝撃を受け、その衝撃の程度は弱いもののその衝撃により泡が生じることは免れない。また、特許文献２に記載された発明においては、固定シュートと可動シュートの間に介在する弾性部材（コイルばね）により商品の落下衝撃を緩和することができるものの、弾性部材（コイルばね）が十分に緩衝の役目を果たすためには所定のストロークが必要となるうえに弾性部材（コイルばね）の反発力により商品が跳ねてバウンドを繰り返すことからフォーミングが生じてしまうという課題を有する。さらに、特許文献３に記載された発明においては、商品シュートと補強板との間に介在する平板状のクッションにより商品の落下衝撃を緩和することができるものの、クッションに載置される態様で商品シュートが設けられており、クッションは商品シュートの荷重を受けて常時加圧されている。このため、クッションが経年変化（塑性変形）してしまうという課題を有する。
【００１１】
本発明は上記の点に鑑みなされたものであり、その目的は前記課題を解決し、商品が商品シュートに落下する際の衝撃を緩和して炭酸ガスを混和させた飲料のフォーミングの発生を抑制することが可能な自動販売機を提供することにある。
【課題を解決するための手段】
【００１２】
上記目的を達成するために請求項１にかかる発明は、本体キャビネットの商品収納庫内に商品を収納した商品収納ラックおよびこの商品収納ラックから搬出された商品を商品取出口に送出する商品シュートを備えた自動販売機において、前記商品シュートは、商品収納ラックから搬出される商品の落下位置に位置するサブシュートとこのサブシュートに落下した商品を商品取出口に送出するメインシュートからなり、サブシュートは、上昇した待機位置に復帰するように付勢力を受けた可動式として形成し、サブシュートの下方に、サブシュートが待機位置に復帰した状態でサブシュートにより加圧されることがなく、サブシュートが付勢力に抗して下降した際に加圧される態様で緩衝部材を配してなることを特徴とする。
【００１３】
また、請求項２に係る発明は、請求項１に記載の自動販売機において、サブシュートを待機位置に復帰させる付勢力は、サブシュートに連繋して設けた弾性部材により付与されることを特徴とする。
【００１４】
また、請求項３に係る発明は、請求項１に記載の自動販売機において、緩衝部材はクッションであることを特徴とする。
【００１５】
また、請求項４に係る発明は、請求項３に記載の自動販売機において、クッションは、制振部とクッション部の組合せからなることを特徴とする。
【００１６】
また、請求項５に係る発明は、請求項２に記載の自動販売機において、サブシュートを待機位置に復帰させる圧縮コイルばねであることを特徴とする。
【００１７】
また、請求項６に係る発明は、請求項２に記載の自動販売機において、サブシュートを待機位置に復帰させる捻りコイルばねであることを特徴とする。
【００１８】
また、請求項７に係る発明は、請求項２に記載の自動販売機において、サブシュートを待機位置に復帰させるオイルダンパであることを特徴とする。
【００１９】
また、請求項８に係る発明は、請求項１または請求項２に記載の自動販売機において、請求項１または請求項２に記載の自動販売機において、メインシュートを載置する受台を設けたことを特徴とする。
【００２０】
また、請求項９に係る発明は、請求項１または請求項２に記載の自動販売機において、メインシュートの上面に漸次下方に傾斜する傾斜面を有するガイド板を設けたことを特徴とする。
【００２１】
また、請求項１０に係る発明は、請求項９に記載のガイド板は、メインシュートの左右両端に設けられ、一方はメインシュートの後端側、他方はメインシュートの前端側に設けたことを特徴とする。
【発明の効果】
【００２２】
本発明の請求項１に係る自動販売機によれば、本体キャビネットの商品収納庫内に商品を収納した商品収納ラックおよびこの商品収納ラックから搬出された商品を商品取出口に送出する商品シュートを備えた自動販売機において、前記商品シュートは、商品収納ラックから搬出される商品の落下位置に位置するサブシュートとこのサブシュートに落下した商品を商品取出口に送出するメインシュートからなり、サブシュートは、上昇した待機位置に復帰するように付勢力を受けた可動式として形成し、サブシュートの下方に、サブシュートが待機位置に復帰した状態でサブシュートにより加圧されることがなく、サブシュートが付勢力に抗して下降した際に加圧される態様で緩衝部材を配してなることにより、サブシュートに商品が着地した際の衝撃荷重がサブシュートに付与された付勢力と緩衝部材とにより吸収され、また、緩衝部材の存在によってサブシュートの待機位置からの下降するストロークも短くなることからサブシュートに付与された付勢力によりサブシュートの待機位置への復帰の際に商品が跳ねてバウンドすることを大幅に抑制できるので、炭酸ガスを混和させた飲料のフォーミングの発生を抑制することが可能となる。さらに、サブシュートの下方に配した緩衝部材は、待機位置に復帰したサブシュートにより加圧されることがないことから販売待機状態では緩衝部材は無加圧状態にあるので長期間に亘って緩衝機能を発揮するという効果を奏する。
【図面の簡単な説明】
【００２３】
【図１】本発明の実施の形態１に係る自動販売機の概略側面図である。
【図２】図１の商品シュートの構成を示す斜視図である。
【図３】図１の商品シュートの構成を示す斜視図である。
【図４】図２の商品シュートの主要部を背面側から見た斜視図である。
【図５】図２の商品シュートの構成を示す分解図である。
【図６】図５の商品シュート構成の要部を示す分解図である。
【図７】図２の商品シュートの側面図である。
【図８】本発明の実施の形態２に係る商品シュートの構成を示す斜視図である。
【図９】図８の商品シュートの主要部を背面側から見た斜視図である。
【図１０】図８の商品シュートの構成を示す分解図である。
【図１１】図８の商品シュートの側面図である。
【図１２】本発明の実施の形態３に係る商品シュートの構成を示す斜視図である。
【図１３】図１２の商品シュートの上面図である。
【図１４】図１２の商品シュートにおいて、商品の搬出過程の一例を示す上面図であり、図１４（ａ）は商品がサブシュートの左側から搬出された場合の搬出過程、図１４（ｂ）は商品がサブシュートの右側から搬出された場合の搬出過程を示している。
【図１５】図１２メインシュートを取り付ける状態を示す斜視図である。
【図１６】従来の自動販売機の概略構成を示す側面図である。
【発明を実施するための形態】
【００２４】
以下、本発明の実施の形態１に係る自動販売機を図面に基づいて詳細に説明する。
（実施の形態１）
図１は本発明実施の形態１に係る自動販売機の一例である缶入り，ペットボトル入りの清涼飲料水を販売する自動販売機の概略側面図である。
【００２５】
図１に示すように、この自動販売機は、前面が開放した断熱筐体として形成された本体キャビネット１と、本体キャビネット１の前面開口を閉塞する態様で本体キャビネット１の前面に開閉可能に支持された外扉２とを備え、この外扉２には商品取出口２ａが設けられている。本体キャビネット１は鋼板製の外箱の内側、すなわち、上壁１ａ，左右側壁１ｂ，背壁１ｃおよび底壁１ｄにウレタンフォームからなる断熱パネルを配設して断熱筐体として構築され、上壁１ａ，左右側壁１ｂ，背壁１ｃおよび底壁１ｄに配設された断熱パネルで囲まれた空間が商品収納庫として形成され、商品収納庫の下部が機械室８として形成されている。本体キャビネット１における商品収納庫の前面は開閉可能な断熱内扉３によって閉塞され、この断熱内扉３には商品収納庫内から送出される商品によって押し開かれるフラッパ３ｂを有する内扉搬出口３ａが設けられている。前記本体キャビネット１の断熱パネルで囲まれた商品収納庫内には上下方向に多段に配設された商品収納棚１０を有する商品収納ラック４が、左右方向に複数収納設置されている。商品収納ラック４は、矩形平板状の薄板鋼板製になる左右一対のラック側板４１，４１を備えており、この左右一対のラック側板４１，４１に商品収納棚１０が架設される。
【００２６】
商品収納棚１０は、商品投入口４４となる前方側が高く、商品搬出口４５となる後方側が低くなるように所定の勾配をもって傾斜する態様で左右一対のラック側板４１，４１に架設されている。商品収納棚１０と左右一対のラック側板４１，４１、若しくは必要に応じて商品収納棚１０にセットされる仕切部材（不図示）に囲まれた内部空間が複数の商品を横倒し姿勢で前後方向に一列に整列して収納する商品収納通路４３として画成され、この商品収納通路４３が上下多段（この実施の形態では１０個の商品収納通路）に形成されている。前記商品収納棚１０の商品搬出口４５の近傍であって各商品収納通路４３の上部、この実施の形態においては上段側の商品収納棚１０の下面に当該商品収納通路４３に収納された商品Ｓを一個ずつ切り出して搬出する商品搬出装置ＢＭが配設されている。商品搬出装置ＢＭは、周知のとおり、商品収納通路４３に出没自在であって販売順位一番の商品Ｓ（最後端の商品であり、販売商品ともいう）を保持する態様で商品収納通路４３に突出する突出位置と前記販売商品の保持を解放する態様で商品収納通路４３から退避する退避位置との間を移動可能に設けたペダル部材、商品収納通路４３に出没自在であって商品収納通路４３から退避する退避位置と販売商品に続く販売順位二番の商品Ｓ（最後端の商品に続く商品であり、次販売商品ともいう）を保持する態様で商品収納通路４３に突出する突出位置との間を移動可能に設けたストッパ部材、前記ペダル部材およびストッパ部材を突出位置と退避位置とに移動させるリンク機構、このリンク機構を駆動する駆動手段（ソレノイド，モータ）等からなり、販売待機時にペダル部材が商品収納通路４３に突出して販売商品Ｓを保持し、ストッパ部材が商品収納通路から退避した状態にあり、販売指令に基づいて前記駆動手段を駆動することによりリンク機構を介してストッパ部材を商品収納通路４３に突出させて次販売商品Ｓを保持した上でペダル部材を商品収納通路４３から退避させて販売商品Ｓを払い出すように構成されたものである。なお、最上段の商品収納通路４３に収納された商品Ｓを一個ずつ切り出す商品搬出装置ＢＭを取付けるために、最上段の商品収納通路４３の上方にダミーの商品収納棚１０からなるメック係止部材１００が左右一対のラック側板４１，４１に架設されている。
【００２７】
そして、メック係止部材１００の後端上方位置に庫内上部ファンＦ２が配備されている。メック係止部材１００の後端上方域は、メック係止部材１００が前方側に対して後方側が低くなるように所定の勾配をもって傾斜して配されることによりデッドスペースとなる部位であり、このデッドスペースを利用して庫内上部ファンＦ２が配備されている。庫内上部ファンＦ２は、商品収納庫内の奥側の空気を前方に向けて送風するものである。
【００２８】
前記各商品収納ラック４に上下多段に配設された商品収納棚１０の後端（商品搬出口４５）は同一の鉛直線上に位置しており、前記商品搬出口４５と商品収納庫背面（本体キャビネット１の背壁１ｃ）との間が商品Ｓの落下する商品落下通路４６として形成されている。そして、各商品収納棚１０の後端部には、前記商品落下通路４６に突出する突出位置と、落下する商品Ｓにより押し開かれて商品落下通路４６から退避する退避位置との間を回動する姿勢制御板４７が配備されている。この姿勢制御板４７は、不図示のコイルばねにより商品落下通路４６に向けて突出するように付勢されており、商品落下通路４６を落下する商品Ｓにより押し開かれて商品落下通路４６から退避する際、当該商品Ｓの姿勢を横倒し姿勢に矯正するとともに当該商品Ｓの落下エネルギーを吸収してその落下速度を低減させる機能を有している。姿勢制御板４７の板面には複数の通気孔が穿設されている。
【００２９】
商品収納ラック４の下部には、商品落下通路４６の下方域と断熱内扉３に設けた内扉搬出口３ａとを連繋する態様で前下がりの姿勢に傾斜して配された商品シュート５０と、商品収納ラック４に収納した商品Ｓを冷却若しくは加熱してコールド若しくはホット状態に保存する冷却／加熱ユニット６が配設され、商品収納庫内に商品収納ラック４と商品シュート５０と冷却／加熱ユニット６とが上下の順に配備されている。
【００３０】
冷却／加熱ユニット６は、前下がりの姿勢に傾斜して配された商品シュート５０の背後の空間に配設されている。冷却／加熱ユニット６は、蒸発器６ａとヒータ６ｂと庫内下部ファンＦ１とが、前方側から蒸発器６ａ，庫内下部ファンＦ１，ヒータ６ｂの順に前後方向に並置されている。蒸発器６ａ，庫内下部ファンＦ１，ヒータ６ｂは、それぞれを囲繞して保護する風洞内に配されており、ヒータ６ｂの風洞に連ねてスペーサー用の風洞６０が設けられている。そして、この風洞６０に連ねてダクト７が設けられている。このダクト７は、商品落下通路４６の下方域まで延在する態様で商品収納庫背面（本体キャビネット１の背壁１ｃ）に沿って配設され、風洞６０の出口に対峙する入口側開口７２（図５参照）と商品落下通路４６の下方域に連通する出口側開口７３（図５参照）を備えている。
【００３１】
さらに、本体キャビネット１の下部の機械室８には、冷却／加熱ユニット６の蒸発器６ａと冷凍サイクルを形成する冷凍機コンデンシングユニット９が配設されている。冷凍機コンデンシングユニット９は、圧縮機９ａ，凝縮器９ｂ，庫外ファン９ｃ，膨張弁（不図示）などからなり、商品収納庫外に配された凝縮器９ｂと商品収納庫内に配された蒸発器６ａとが膨張弁を介して冷媒配管により接続されている。
【００３２】
なお、外扉２の前面には、図示は省略するが、商品コラムに対応した複数の商品見本を展示した商品展示室、購入する商品Ｓを指定する商品選択ボタン、代価としての硬貨を投入する硬貨投入口、代価としての紙幣を挿入する紙幣挿入口、釣銭硬貨若しくは返却指令により返却される硬貨を取り出すための硬貨返却口、釣銭若しくは投入硬貨の返却を指示する返却レバーなど、貨幣の投入により商品Ｓの自動販売に必要な部品が配設され、さらに、外扉２を本体キャビネット１に閉止鎖錠する扉ロック機構のハンドルなどが設けられている。
【００３３】
さて、商品収納ラック４の下部に前下がりに配された商品シュート５０と冷却／加熱ユニット６の風洞６０とダクト７を図２に示す。商品シュート５０は、鋼板製のメインシュート５１とサブシュート５２とからなり、メインシュート５１の後方にサブシュート５２が連なり、メインシュート５１の後端上方にサブシュート５２の前端が重なる態様で配される。
【００３４】
メインシュート５１の板面には複数の通気孔５１ａが穿孔されている。メインシュート５１の前端には下方に屈曲した固定部５１１が形成されている。この固定部５１１は、本体キャビネット１の前壁に沿うものであって、その板面にはねじ挿通穴５１１ａが形成されて本体キャビネット１の前壁にねじ止めされる。また、メインシュート５１の後端には下方に屈曲した取付部５１２が形成されている。この取付部５１２には、取付部５１２の端縁から下方に突出する係止爪５１２ａ（図４，図６参照）が複数（この実施の形態では３個）左右方向に分散して設けられている。これら３個の係止爪５１２ａは、ダクト７にねじ止めされた「く」字状の固定金具８０の板面に形成した複数のスリット８１（図５，図６参照）に挿入して係止される。メインシュート５１の後方に連なるサブシュート５２は、メインシュート５１の幅に略一致する幅の矩形状の着地面５２１を有するプレートとして形成されている。サブシュート５２における着地面５２１の後縁から下方に屈曲して形成したフランジ５２２には２個の係合突起５２２ａ、５２２ａ（図４，図６参照）が突出して形成され、係合突起５２２ａの先端はフックとして形成されている。この係合突起５２２ａ，５２２ａは、固定金具８０の基端側に形成したスリット８２，８２（図５，図６参照）に遊嵌され、係合突起５２２ａ，５２２ａの先端に設けたフックはスリット８２，８２の周縁に係合することにより抜け止めとの機能を備えるとともにサブシュート５２の上方への移動を規制する機能を有する。サブシュート５２は、固定金具８０の板面に係止された左右２個の圧縮コイルばねＳＰにより保持され、固定金具８０のスリット８２，８２に遊嵌された係合突起５２２ａ，５２２ａをガイドとして上下方向に移動自在である。そして、サブシュート５２は、左右２個の圧縮コイルばねＳＰによる付勢力を受けてメインシュート５１の板面より上方に上昇した待機位置とサブシュータ５２の後端側に落下する商品の荷重を受けて圧縮コイルばねＳＰおよび後述するクッション９０の縮みによりメインシュート５１の板面に略一致する下降位置との間を移動自在である。このように、サブシュート５２は、上昇した待機位置に復帰するように圧縮コイルばねＳＰにより付勢力を受けた可動式として形成されている。
【００３５】
サブシュート５２と固定金具８０の板面との間には固定金具８０の板面に貼着されたクッション９０が配設されている。クッション９０は、例えば低反発の発泡ゴムからなり、このクッション９０が請求項１に記載した緩衝部材を構成する。クッション９０は、左右２個の圧縮コイルばねＳＰの間に収まる長さを有し、高さが固定金具８０の板面から待機位置に復帰したサブシュート５２までの寸法を有する角柱状をなしている。つまり、クッション９０は、待機状態においてサブシュート５２に加圧されない態様で配設されている。そして、商品がサブシュート５２に落下した時の衝撃荷重を吸収して、クッション９０も圧縮されるが、低反発の発泡ゴムであるため元の形状に復帰するまでの復元が遅くなることから、商品落下後の商品のバウンド抑制に効果を有する。
【００３６】
ダクト７は、図５に示すように、横断面凹状に形成した薄板鋼板製になる。前面壁７１の略中央下部寄りには風洞６０の出口に連通する入口側開口７２が形成されるとともに上端に出口側開口７３が形成される。ダクト７における前面壁７１の上方側には上下一対のねじ穴７４が左右方向に３連形成されている。前記上下一対で３連のねじ穴７４は、「く」字状の固定金具８０をねじ止めするためのねじが螺合される。また、ダクト７の前面壁７１の上端寄りに左右２個の開口７５が形成されている。これらの開口７５は、サブシュート５２の後縁側に設けた係合突起５１２ａの先端のフックを受容するものである。このダクト７には、入口側開口７２に位置を合せて風洞６０が適宜固定される。
【００３７】
固定金具８０は、「く」字状に折り曲げ形成された板金製になり、基端部側に形成したそれぞれのフランジにねじ挿通穴８３（図５，図６参照）が設けられている。また、固定金具８０の上方側板面の前方寄りには３個のスリット８１が形成され、このスリット８１の大きさはメインシュート５１の後端に形成した係止爪５１２ａを受容可能な大きさを有する。さらに、固定金具８０の上方側の板面の基端部には２個のスリット８２，８２が形成されている。このスリット８２の大きさは、サブシュート５２の後縁側に設けた係合突起５１２ａの板厚よりも大きく、その係合突起５１２ａを遊嵌する大きさを有する一方、係合突起５１２ａの先端に形成したフックの幅よりも小さく定められている。さらに、固定金具８０の上方側の板面の左右２箇所には、同心円上に位置する３個ずつの爪８４（図６参照）が切り起こしによりそれぞれ形成されている。これらの３個の爪８４は、圧縮コイルばねＳＰの巻き端部を係止するものであり、これらの爪８４に圧縮コイルばねＳＰの巻き端部を係止することにより圧縮コイルばねＳＰが固定金具８０に固定される。この圧縮コイルばねＳＰは、前述したサブシュート５２の下面に当接して当該サブシュート５２を保持しており、サブシュート５２の後端側に落下する商品の衝撃を緩和するように構成されている。この圧縮コイルばねＳＰは、サブシュート５２の後端側に落下した商品を跳ね返すことがないように、サブシュート５２を上昇した待機位置に復帰させる程度の比較的弱い付勢力を有するものが適している。
【００３８】
前記商品シュート５０は、待機状態でサブシュート５２が圧縮コイルばねＳＰの付勢力により上昇し、サブシュート５２の後縁側に設けた２個の係合突起５１２ａの先端のフックがダクト７の前面壁７１の上端寄りに設けた左右２個の開口７５の上縁に係合した状態で上昇した待機位置に復帰している。そして、固定金具８０に貼着されたクッション９０は、上昇した待機位置に復帰したサブシュート５２から離隔して無加圧状態にある。
【００３９】
かかる構成の自動販売機は、図１に示す外扉２および断熱内扉３を開放して商品投入口４４から商品収納棚１０に画成された商品収納通路４３に商品Ｓがローディングされる。商品収納通路４３に最初にローディングされた商品は、商品収納通路４３に突出した商品搬出装置ＢＭのペダル部材に保持されて販売順位一番の商品Ｓとなり、次にローディングされる商品は、ペダル部材により保持された販売商品の前方側に積み重ねられて販売順位二番の商品Ｓとなり、引き続いてローディングされる商品Ｓは、販売順位二番の商品Ｓの前方に順次積み重ねられる。このようにして商品収納ラック４に収納した商品Ｓは冷却／加熱ユニット６により冷却若しくは加熱されて販売に適したコールド若しくはホット状態に保存されて販売可能な状態（販売待機状態）となる。
【００４０】
斯様な販売待機状態において、外扉２に設けた商品選択スイッチが操作されると、商品収納ラック４に架設された商品収納棚１０に配設され選択された商品に対応する商品収納通路４３の商品搬出装置ＢＭが動作して当該商品収納通路４３に収納された販売順位一番の商品Ｓが商品落下通路４６に搬出される。商品落下通路４６に搬出された商品Ｓは、姿勢制御板４７により落下速度が低減されるとともに姿勢矯正されたうえで商品シュート５０のサブシュート５２の着地面５２１に落下する。サブシュート５２の着地面５２１に商品Ｓが落下すると圧縮コイルばねＳＰが縮んでサブシュート５２は上昇した待機位置から沈むように下降を開始する。サブシュート５２が下降してクッション９０に当接すると当該クッション９０は縮んでサブシュート５２の下降を許容しつつ商品Ｓの落下衝撃（鉛直方向の分力）を圧縮コイルばねＳＰとともに吸収する。そして、サブシュート５２に落下した落下衝撃（鉛直方向の分力）を圧縮コイルばねＳＰおよびクッション９０により吸収された商品Ｓは前方に向かう分力によりサブシュート５２からメインシュート５１に転動若しくは滑動移動した後、メインシュート５１から断熱内扉３に設けた内扉搬出口３ａのフラッパ３ｂを押し開いたうえで外扉２の商品取出口２ａに送出される。商品Ｓがサブシュート５２からメインシュート５１に乗り移った後、サブシュート５２は、圧縮コイルばねＳＰの付勢力により上昇して待機位置に復帰する。ここで、圧縮コイルばねＳＰは、サブシュート５２を上昇した待機位置に復帰させる程度の比較的弱い付勢力のものが採用されているので、圧縮コイルばねＳＰの反発力によりサブシュート５２に落下した商品Ｓが跳ねてバウンドすることがなく、炭酸ガスを混和させた飲料のフォーミングの発生を抑制することが可能である。また、図３に示すように、圧縮コイルばねＳＰに代えて、オイルダンパＯＤで代用することも可能である。
【００４１】
（実施の形態２）
次に、図８乃至図１１は、本発明の実施の形態２に係る商品シュートを示し、図８は本発明の実施の形態２に係る商品シュートの構成を示す斜視図、図９は図８の商品シュートの主要部を背面側から見た斜視図、図１０は図８の商品シュートの構成を示す分解図、図１１は図８の商品シュートの側面図である。なお、図８乃至図１１において、図２乃至図７と同一若しくは同一の機能を有するものには同一の符号を付して詳細な説明は省略する。
【００４２】
この実施の形態２に係る商品シュート５０Ａは、鋼板製のメインシュート５３とサブシュート５４とからなり、メインシュート５３の後方にサブシュート５４が連なる態様で配される。
【００４３】
メインシュート５３の板面には複数の通気孔５３ａが穿孔されている。このメインシュート５３の前端には下方に屈曲した固定部５３１が形成されている。この固定部５３１は、本体キャビネット１の前壁に沿うものであって、その板面にはねじ挿通穴５３１ａが形成されて本体キャビネット１の前壁にねじ止めされる。また、メインシュート５３の後端には下方に屈曲した取付部５３２が形成されている。この取付部５３２には、実施の形態１のメインシュート５１の係止爪５１２ａと同様の係止爪（不図示）が複数（この実施の形態では２個）左右方向に分散して設けられている。これらの２個の係止爪は、ダクト７にねじ止めされた固定金具８５の前フランジ８６に形成した２個のスリット８７（図１０参照）に挿入して係止される。固定金具８５は、その後フランジをダクト７にねじ止めして固定されるとともに左右２個の補強部材８９によりダクト７に強固に支持されている。また、固定金具８５の前フランジ８６の上縁における左右両端には左右一対のカール状の軸挿通部８８，８８（図１０参照）が上方に張り出して形成されている。
【００４４】
メインシュート５３の後方に連なるサブシュート５４は、メインシュート５３の幅に略一致する幅の矩形状の着地面５４１を有するプレートとして形成されている。図１０に示すように、サブシュート５４における着地面５４１の前縁から下方に屈曲して形成したフランジ５４２の下縁には、左右一対のカール状の軸挿通部５４３，５４３が下方に張り出して形成されている。この左右一対のカール状の軸挿通部５４３，５４３は、固定金具８５の前フランジ８６に形成した左右一対のカール状の軸挿通部８８，８８の間に位置する態様で形成されている。サブシュート５４は、左右一対のカール状の軸挿通部５４３，５４３を固定金具８５の左右一対のカール状の軸挿通部８８，８８の間に位置させたうえで両者にピンＰＮ（図１０参照）を挿通することにより固定金具８５に揺動自在に連結されている。前記ピンＰＮには捻りコイルばねＳＰ０（図１０参照）が巻回されている。捻りコイルばねＳＰ０は、その一端を固定金具８５に係止する一方、他端をサブシュート５４に係止することによりサブシュート５４に固定金具８５から離隔する方向に付勢力を付与するものである。したがって、サブシュート５４は、捻りコイルばねＳＰ０による付勢力を受けてピンＰＮを支点として上下方向に揺動自在である。そして、サブシュート５４の上方への揺動は、サブシュート５４のフランジ５４２が、固定金具８５に係止されたメインシュート５３の後端に下方に屈曲して形成した取付部５３２に当接することにより規制されるものである。このように、上方への揺動が規制された位置がサブシュート５４の上昇した待機位置となる。これにより、サブシュート５４は、上昇した待機位置に復帰するように捻りコイルばねＳＰ０により付勢力を受けた可動式として形成されている。なお、サブシュート５４の上昇した待機位置ではサブシュート５４の着地面５４１がメインシュート５３の板面と面一となるのが理想的であるが、組立て誤差などによりサブシュート５４の着地面５４１がメインシュート５３の板面よりも低くならないように、サブシュート５４の着地面５４１がメインシュート５３の板面よりも僅かに高い位置となるようにフランジ５４２の高さを設定するのがよい。また、捻りコイルばねＳＰ０は、サブシュート５４の後端側に落下した商品を跳ね返すことがないように、サブシュート５４を上昇した待機位置に復帰させる程度の比較的弱い付勢力を有するものが適している。
【００４５】
サブシュート５４と固定金具８５の板面との間にはクッション９０Ａが配設されている。このクッション９０Ａが請求項１に記載した緩衝部材を構成する。クッション９０Ａは、図１０に示すように、固定金具８５に貼着される矩形状の制振部（ゴム）９０Ａ１と、クッション部９０Ａ２との組み合わせからなる。クッション部９０Ａ２は、角柱状の上面の一部を、上昇した待機位置に復帰して傾斜したサブシュート５４に沿って切除した五角柱状をなすものである。そして、クッション９０Ａは、待機状態においてサブシュート５４に加圧されない態様で配設される。このクッション部９０Ａ２は、低反発の発泡ゴムが適している。
【００４６】
このように、商品シュート５０Ａは、待機状態でサブシュート５４が捻りコイルばねＳＰ０の付勢力により上昇し、サブシュート５４のフランジ５４２が固定金具８５に係止されたメインシュート５３の後端に下方に屈曲して形成した取付部５３２に当接した状態で待機位置に復帰している。そして、固定金具８５に貼着されたクッション９０Ａは、上昇した待機位置に復帰したサブシュート５４から離隔して無加圧状態にある。
【００４７】
この実施の形態２に係る商品シュート５０Ａも、実施の形態１と同様に、サブシュート５４の着地面５４１が商品落下通路４６（図１参照）の下部に位置する態様で配設されるものであり、商品落下通路４６を落下する商品Ｓは、姿勢制御板４７（図１参照）により落下速度が低減されるとともに姿勢矯正されたうえで商品シュート５０Ａのサブシュート５４における着地面５４１に落下する。サブシュート５４の着地面５４１に商品Ｓが落下すると捻りコイルばねＳＰ０が縮んでサブシュート５４は上昇した待機位置から沈むように下降（揺動）を開始する。サブシュート５４が下降（揺動）してクッション９０Ａに当接すると当該クッション９０Ａは縮んでサブシュート５４の下降を許容しつつ商品Ｓの落下衝撃（鉛直方向の分力）を捻りコイルばねＳＰ０とともに吸収する。そして、サブシュート５４に落下した落下衝撃（鉛直方向の分力）を捻りコイルばねＳＰ０およびクッション９０Ａにより吸収された商品Ｓは前方に向かう分力によりサブシュート５４からメインシュート５３に転動若しくは滑動移動した後、メインシュート５３から、図１に示す断熱内扉３に設けた内扉搬出口３ａのフラッパ３ｂを押し開いたうえで外扉２の商品取出口２ａに送出される。商品Ｓがサブシュート５４からメインシュート５３に乗り移った後、サブシュート５４は、捻りコイルばねＳＰ０の付勢力により上昇して待機位置に復帰する。ここで、捻りコイルばねＳＰ０は、サブシュート５４を上昇した待機位置に復帰させる程度の比較的弱い付勢力のものが採用されているので、捻りコイルばねＳＰ０の反発力によりサブシュート５４に落下した商品Ｓが跳ねてバウンドすることがなく、炭酸ガスを混和させた飲料のフォーミングの発生を抑制することが可能である。また、商品Ｓの落下によりサブシュート５４に生じる振動がクッション９０Ａの制振部（ゴム）９０Ａ１により吸収されるので、商品Ｓがサブシュート５４に落下した際の衝撃音を低減することが可能となる。
【００４８】
なお、サブシュート５４は、固定金具８５に揺動自在に軸支されるものに限らず、メインシュート５３と蝶番を介して連結されるとともにばね部材により待機位置に復帰するように構成することもできるものである。
【００４９】
（実施の形態３）
次に、図１２乃至図１５は、本発明の実施の形態３に係る商品シュートを示し、図１２は本発明の実施の形態３に係る商品シュートの構成を示す斜視図、図１３は図１２の商品シュートの上面図、図１４は図１２の商品シュートにおいて、商品の搬出過程の一例を示す上面図、図１５は図１２のメインシュートを取り付ける状態を示す斜視図である。この実施の形態３が実施の形態２に対して相違するところは、メインシュートの取付用の受台追加、及びメインシュートの板面にガイド板を追加装備した点であり、その他の構成については実施の形態２と同一である。そこで、図１２乃至図１５において、図８乃至図１１と同一若しくは同一の機能を有するものには同一の符号を付して詳細な説明は省略する。
【００５０】
実施の形態３に係る商品シュート５０Ｂは、実施の形態２と同様、鋼板製のメインシュート５７とサブシュート５４とからなり、メインシュート５７の後方にサブシュート５４が連なる態様で配される。また、２個の係止爪（不図示）が、ダクト７にねじ止めされた固定金具８５の前フランジ８６に形成した２個のスリット８７に挿入して係止される。ここで、実施の形態３においては図１５に示すようにメインシュート５７を固定金具８５に係止する前に、あらかじめ受台５９の前フランジ５９ａに穿孔したねじ挿通穴５９ｃと固定金具８５の前フランジ８６に穿孔したねじ下穴８５ａを螺合させてねじ止め固定しておく。その後にメインシュート５７の下方に屈曲した取付部５３２の下部フランジ５３２ａを受台５９の下フランジ５９ｂの上面に載置し、そのまま後方へスライドさせることによりメインシュート５７の係止爪（不図示）が受台５９の前フランジ５９ａに形成したスリット５９ｄ、固定金具８５の前フランジ８６に形成した２個のスリット８７に挿入されて係止固定される。このように受台５９を固定金具８５に設けることにより、メインシュート５７を固定金具８５へ取り付ける際に、メインシュート５７の取付部５３２（下部フランジ５３２ａ）を受台５９の下フランジ５９ｂに載置させることができ、メインシュート５７の重量を支える必要が無く、メインシュート５７を後方へスライドしてメインシュート５７の係止爪（不図示）をスリット８７へ挿入可能であるため、メインシュート５７の固定金具８５への取付性が向上する。なお、本実施の形態では受台５９と固定金具８５をねじ固定しているが、受台５９と固定金具８５の固定方法は、溶接やカシメ接合でも構わない。
【００５１】
メインシュート５７に設けたガイド板５５,５６は、図１２乃至図１５に示すように、ガイド板５５がメインシュート５７の左奥側（図１３においては左上方側）、ガイド板５６がメインシュート５７の右手前側（図１３においては右下方側）に配設されている。このガイド板５５,５６はメインシュート５７の前方側（図１３、図１４においては下方側）に向かうにつれて中央寄りに傾斜した略三角形状を成し、ガイド板５５の左端部、ガイド板５６の右端部はそれぞれメインシュート５７の左端部、右端部と略同一の端部に取り付けられている。また、図１２、図１５に示すように、ガイド板５５の左端部、およびガイド板５６の右端部からメインシュート５７の中央に向かうにしたがって漸次下方に傾斜する傾斜面５５ａ,５６ａを有し、さらに傾斜面５５ａ,５６ａの板面には複数の通気孔５５ｂ,５６ｂが穿孔されている。
【００５２】
そして、商品Ｓがサブシュート５４からメインシュート５７に乗り移った際、メインシュート５７に設けたガイド板５５,５６により、サブシュート５４からメインシュート５７の板面上を転動若しくは滑動移動する商品Ｓは、メインシュート５７から内扉搬出口３ａへ転動若しくは滑動移動する際、ガイド板５５,５６の両方、若しくはいずれか片方に当接する。そのため、商品Ｓは内扉搬出口３ａに向かう直線的な転動若しくは滑動移動を阻止できるため、商品Ｓの移動速度が低減され、炭酸ガスを混和させた炭酸飲料のフォーミングの発生を抑制することができる。また、メインシュート５７から内扉搬出口３ａへ転動若しくは滑動移動する際、商品Ｓの移動速度が低減することにより内扉搬出口３ａのフラッパ３ｂを押し開いて商品取出口２ａ内に搬出される商品Ｓの衝撃荷重も緩和するため、販売騒音も低減される。
【００５３】
商品Ｓの搬出過程を示す一例を図１４に示す。図１４は商品シュートの上面図を示し、図１４（ａ）は商品Ｓがサブシュート５４の図示左側から搬出された場合の搬出過程を示す図、図１４（ｂ）は商品Ｓがサブシュート５４の図示右側から搬出された場合の搬出過程を示す図であり、図示の黒矢印が商品Ｓの各搬出経路を示している。商品Ｓがサブシュート５４の図示左側から搬出された場合（図１４（ａ）参照）、商品Ｓがサブシュート５４からメインシュート５７に乗り移った際、メインシュート５７に設けたガイド板５５,５６への当接により、サブシュート５４からメインシュート５７の板面上を転動若しくは滑動移動する商品Ｓ（ここでは５００ｍｌのＰＥＴ商品）は、図示左上にあるガイド板５５に当接することによって、ガイド板５５が中央寄りに傾斜していることから、商品Ｓの下端側（底部）が下方へ向く姿勢で移動し、次に商品Ｓの下端側（底部）が図示右下にあるガイド板５６に当接すると共に、商品Ｓの先端側（キャップ側）が図示左上にあるガイド板５５に当接することにより、商品Ｓの下端側（底部）が先に内扉搬出口３ａへ転動若しくは滑動移動し、内扉搬出口３ａのフラッパ３ｂを押し開いて外扉２の商品取出口２ａ内に搬出される。次に、商品Ｓがサブシュート５４の図示右側から搬出された場合（図１４（ｂ）参照）、商品Ｓがサブシュート５４からメインシュート５７に乗り移り、商品Ｓの先端側（キャップ側）が下方へ向く姿勢で移動し、商品Ｓの下端側（底部）が図示右下にあるガイド板５６に当接することで、商品Ｓの移動速度が低減され、内扉搬出口３ａへ転動若しくは滑動移動し、内扉搬出口３ａのフラッパ３ｂを押し開いて外扉２の商品取出口２ａ内に搬出される。このように商品Ｓの移動速度低減により、商品取出口２ａ内に搬出される商品Ｓの衝撃荷重が緩和し、フォーミングの発生を抑制し、販売騒音も低減する。
【００５４】
前述したように、実施の形態１、実施の形態２に係る自動販売機によれば、本体キャビネット１の商品収納庫内に商品を収納した商品収納ラック４およびこの商品収納ラック４から搬出された商品Ｓを商品取出口２ａに送出する商品シュート５０，５０Ａを備えた自動販売機において、前記商品シュート５０，５０Ａは、商品収納ラック４から搬出される商品Ｓの落下位置に位置するサブシュート５２，５４とこのサブシュート５２，５４に落下した商品Ｓを商品取出口２ａに送出するメインシュート５１，５３からなり、サブシュート５２，５４は、上昇した待機位置に復帰するように付勢力を受けた可動式として形成し、サブシュート５２，５４の下方に、サブシュート５２，５４が待機位置に復帰した状態でサブシュート５２，５４により加圧されることがなく、サブシュート５２，５４が付勢力に抗して下降した際に加圧される態様で緩衝部材９０，９０Ａを配してなることにより、サブシュート５２，５４に商品が着地した際の衝撃荷重がサブシュート５２，５４に付与された付勢力と緩衝部材９０，９０Ａとにより吸収され、また、緩衝部材９０，９０Ａの存在によってサブシュート５２，５４の待機位置からの下降するストロークも短くなることからサブシュート５２，５４に付与された付勢力によりサブシュート５２，５４の待機位置への復帰の際に商品Ｓが跳ねてバウンドすることを抑制できるので、炭酸ガスを混和させた飲料のフォーミングの発生を抑制することが可能となる。さらに、サブシュート５２，５４の下方に配した緩衝部材９０，９０Ａは、待機位置に復帰したサブシュート５２，５４により加圧されることがないことから販売待機状態では緩衝部材９０，９０Ａは無加圧状態にあるので長期間に亘って緩衝機能を発揮するという効果を奏する。
【００５５】
また、実施の形態３に係る自動販売機によれば、メインシュート５７に設けたガイド板５５,５６により、商品Ｓは内扉搬出口３ａに向かう直線的な転動若しくは滑動移動が阻止できるため、商品Ｓの移動速度が低減され、炭酸ガスを混和させた炭酸飲料のフォーミングの発生を抑制することができる。また、メインシュート５７から内扉搬出口３ａへ転動若しくは滑動移動する際、商品Ｓの移動速度が低減することにより内扉搬出口３ａのフラッパ３ｂを押し開いて外扉２の商品取出口２ａ内に搬出される商品Ｓの衝撃荷重が緩和するため、販売騒音も低減される。
【００５６】
なお、前述した各実施の形態においては、クッション９０，９０Ａを固定金具８０，８５に貼着した例について説明したが、クッション９０，９０Ａは、固定金具８０，８５と離隔する態様でサブシュート５２，５４の下面に貼着して配することもできるものである。また、商品収納ラック４としてスラントラックについて説明したが、サーペンタイン式商品収納ラックを備えた自動販売機にも適用できるものである。したがって、本発明は実施の形態に限定されるものではない。
【符号の説明】
【００５７】
１…本体キャビネット、４…商品収納ラック、６…冷却／加熱ユニット（冷却・加熱手段）、７…ダクト（直進安定化手段）、１０…商品収納棚、４３…商品収納通路、４４…商品投入口、４５…商品搬出口、４６…商品落下通路、ＢＭ…商品搬出装置、５０，５０Ａ，５０Ｂ…商品シュート、５５，５６…ガイド板、５９…受台、商品投入口、８０，８５…固定金具、９０，９０Ａ…クッション（緩衝部材）、ＳＰ…圧縮コイルばね（弾性部材）、ＳＰ０…捻りコイルばね（弾性部材）、ＯＤ…オイルダンパ（弾性部材）。
【図１】
2018063686.tif 000003
【図２】
2018063686.tif 000004
【図３】
2018063686.tif 000005
【図４】
2018063686.tif 000006
【図５】
2018063686.tif 000007
【図６】
2018063686.tif 000008
【図７】
2018063686.tif 000009
【図８】
2018063686.tif 000010
【図９】
2018063686.tif 000011
【図１０】
2018063686.tif 000012
【図１１】
2018063686.tif 000013
【図１２】
2018063686.tif 000014
【図１３】
2018063686.tif 000015
【図１４】
2018063686.tif 000016
【図１５】
2018063686.tif 000017
【図１６】
2018063686.tif 000018